(57)【特許請求の範囲】
【請求項１】
景品球払出樋，球抜樋，オーバーフロー樋等が形成されたプラスチック製の機構板に景品球払出装置を設けたパチンコ機において、機構板の裏面をカバーするプラスチック製の裏板の上縁部に枢支部を水平に設けて該枢支部に開閉蓋を枢支し、該裏板の両側縁に下向鉤状の係合片を一体に形成し、該係合片と係合し得る上向鉤状の係合片を前記機構板に一体に形成し、該裏板を該機構板の裏面に当てて下方にスライドすることにより該係合片どうしを係合させて該裏板を該機構板に装着し、その後に前記開閉蓋を上にはね上げることにより前記景品球払出装置を被うとともに該開閉蓋の上端縁が該機構板の一部に隙間なく対向することにより該裏板の上方スライドが制止されるようにしたことを特徴とするパチンコ機。
【発明の詳細な説明】
【０００１】
【発明の属する技術分野】
本発明は、パチンコ機の裏側に装着される機構板に関し、さらに詳しくは機構板に対してその裏板を簡便に取り付け得る構造に関するものである。
【０００２】
【従来の技術】
パチンコ機の主要構成部材の一つである機構板は、周知のように、景品球払出樋，球抜樋，景品球オーバーフロー樋等をプラスチックにより一体に成形してなる長方形枠状形態のもので、該機構板に景品球払出装置，入賞球排出制御装置、或いは景品球タンク，配電盤等を組込み、これをパチンコ機裏面の遊技盤取付枠に装着することによりパチンコ機を構成し得るものである。
【０００３】
ところで上記景品球払出樋，景品球オーバーフロー樋，球抜樋等は、従来では該機構板の裏面を被う裏板を専らビスにより固着することにより組立てられていた。
【０００４】
【発明が解決しようとする課題】
このため組立てに時間が掛かり製造コストを上昇させると共に、ビスの締めわすれ或いは締め加減が適切でないこと等に起因する不良品発生のおそれがあるので、品質管理も煩雑になるなどの問題があった。
【０００５】
【課題を解決するための手段】
本発明のパチンコ機は上記課題を解決しようとするもので、景品球払出樋，球抜樋，オーバーフロー樋等が形成されたプラスチック製の機構板に景品球払出装置を設けたパチンコ機において、機構板の裏面をカバーするプラスチック製の裏板の上縁部に枢支部を水平に設けて該枢支部に開閉蓋を枢支し、該裏板の両側縁に下向鉤状の係合片を一体に形成し、該係合片と係合し得る上向鉤状の係合片を前記機構板に一体に形成し、該裏板を該機構板の裏面に当てて下方にスライドすることにより該係合片どうしを係合させて該裏板を該機構板に装着し、その後に前記開閉蓋を上にはね上げることにより前記景品球払出装置を被うとともに該開閉蓋の上端縁が該機構板の一部に隙間なく対向することにより該裏板の上方スライドが制止されるようにしたことを特徴とする。
【０００７】
【作用】
機構板の裏面に裏板を当てて下方にスライドさせ、開閉蓋を上にはね上げるだけで該裏板の上方スライドが制止され、互いの係合片の係合状態が保たれるので、裏板をワンタッチで簡単に、しかも確実に装着できます。そして、景品球払出装置で球詰まり等が発生し点検の必要が生じたとき等には、裏板を装着したままで該開閉蓋だけを簡単に開けることができるとともに、該開閉蓋を開けることで該裏板を上方にスライドできるようになるので、該裏板もまた簡単に取り外すことができる。
【０００８】
【実施例】
次に図面と共に本発明に係るパチンコ機の一実施例を説明する。図１にパチンコ機の機構板を示す。この機構板１はプラスチックの射出成形により方形枠状に形成されたもので、その一側裏側に竪長状の景品球払出樋２および球抜樋３が区画形成され、該景品球払出樋２中には景品球払出装置４，鈴５等が設けられ該景品球払出樋２の下端はパチンコ機前面の上部玉受皿に開口する景品球払出口６が形成されている。なお球抜樋３の下端はアウト球排出口７に連通している。また８は上部玉受皿が景品球により満杯になったときにその球を下皿にオーバーフローさせるオーバーフロー樋で、該オーバーフロー樋８は該機構板１の下部に一体に形成されている。９は該オーバーフロー樋８に設けられた鈴、１０は該オーバーフロー樋８の球詰りをリミットスイッチにより検出するために設けられた可動片である。
【０００９】
１１は該機構板１の下部に組込まれた入賞球排出制御装置である。該入賞球排出制御装置１１はモータ１２が作動することにより入賞球をカンチレバー１３に押圧させ該カンチレバー１３に一端が連結されたリンク１４が押し上げられることにより景品球払出装置４を作動させ所定数の景品球を景品球払出樋２に流落させる。なお該入賞球排出制御装置１１の近くには後述する掛止片３６が一体に突設されている。
【００１０】
１５は機構板１の上部に設けられた景品球タンク、１６は該機構板１の上部片隅に設けられた配電盤である。また、１７，１８は景品球タンク１５の景品球を景品球払出装置４に供給するため機構板１にビス又はその他の固着手段により固着された傾斜樋および屈曲樋である。該屈曲樋１８は傾斜樋１７を通して流落して来た景品球を三列に整流し景品球払出装置４に供給するもので、該屈曲樋１８には景品球の有無を検出するためのリミットスイッチ１９が設けられている。また、該屈曲樋１８の入口部には操作片２１を押圧することにより開閉する球抜弁２０が設けられ、該球抜弁２０が開かれると景品球が球抜樋３に流落しアウト球排出口７に排出し得るようになっている。なお該屈曲樋１８の表面には後述するリブ３３を一体に突設している。また該リブ３３の近くにビス３４を固植し該ビス３４に掛止片３５を回転自在に設けている。
【００１１】
また、２２は該機構板１の一側に突設された枢軸で、該枢軸２２をパチンコ機裏面の遊技盤取付枠（図示せず）に対設した受金具にヒンジすることにより該機構板１を該枢軸２２を支点として水平面内で回転可能に枢着すると共に、該機構板１の他側に設けられた締付具２３を該遊技盤取付枠に係脱し装着できるようにしている。
【００１２】
図２に該機構板１の景品球払出樋２，球抜樋３，鈴５，オーバーフロー樋８，鈴９等を裏面からカバーするためにプラスチックにより成形された略Ｌ形の裏板を示し、該裏板２５の上縁部には水平に枢支部２６が設けられ該枢支部２６に前記景品球払出装置４を開閉自在に被う第１開閉蓋２７が枢支されている。なお第１開閉蓋２７の裏面には球抜樋３の仕切壁３７が一体に形成されている。また、該裏板２５の下部には前記入賞球排出制御装置１１に臨む窓孔２８が開設され、該窓孔２８の下縁に設けた枢支部２９に第２開閉蓋３０を枢支し、該第２開閉蓋３０により窓孔２８を開閉し得るようにしている。なお３８は前記掛止片３６が係合し得るように第２開閉蓋３０の一部に開設された掛止孔である。
【００１３】
しかして裏板２５の周縁部には下向鉤状の係合片３１，３１，３１，…を一体に形成している。また機構板１の周縁部には該係合片３１，３１，３１，…と係合し得る上向鉤状の係合片３２，３２，３２，…が一体に形成されている。
【００１４】
このため該裏板２５を機構板１に装着するに際しては、図３に示したように機構板１の裏面に該裏板２５を当てて該裏板２５を下方にスライドさせることにより各係合片３１，３１，３１，…を各係合片３２，３２，３２，…に互いに係合させる。
【００１５】
そして第１開閉蓋２７を上にはね上げて該第１開閉蓋２７の上端縁を前記整流器１８上のリブ３３に対向させ掛止片３５を該回転させて該第１開閉蓋２７上に掛止することにより景品球払出装置４を該第１開閉蓋２７により被う。このときリブ３３が第１開閉蓋２７の上端縁と隙間なく対向することにより、こうして第１開閉蓋２７を閉じれば裏板２５が上にスライドできないようになるので裏板２５を確実に機構板１に取り付けることができる。なお、該第１開閉蓋２７は景品球払出装置４で球詰まり等が発生し点検の必要が生じたとき等に掛止片３５を該第１開閉蓋２７上から外すだけで簡単に開けることができるようになっている。
【００１６】
また、窓孔２８を第２開閉蓋３０をはね上げることによって閉じてその掛止孔３８に掛止片３６を係合させることによりその閉止状態が保持される。なお該掛止片３６と掛止孔３８との係合は該掛止片３６で指先で押すことにより該掛止片３６が弾性的にたわんで掛止孔３８縁から外れるので入賞球排出制御装置１１で球詰まりが発生しカンチレバー１３を操作しなければならないとき等に該第２開閉蓋３０を簡便に開けることができる。
【００１７】
【発明の効果】
このように本発明は、裏板を機構板の裏面に当てて下方にスライドすることにより互いの係合片を係合させた後、開閉蓋を上にはね上げることにより該開閉蓋の上端縁が該機構板の一部に隙間なく対向することにより該裏板の上方スライドが制止されるようにしたので、機構板に対し裏板を簡単に装着でき、従来のビス止めのようなビスの締めわすれや締め加減不良等による不良品発生のおそれはなく、組立コストが軽減されるなど有益な効果がある。
【図面の簡単な説明】
【図１】本発明に係るパチンコ機の一実施例を示す機構板の斜視図。
【図２】本発明に係るパチンコ機の一実施例を示す機構板の裏板の斜視図。
【図３】本発明に係るパチンコ機の一実施例を示す機構板および裏板の側面図。
【図４】本発明に係るパチンコ機の一実施例を示す機構板および裏板の組付時の側面図。
【図５】本発明に係るパチンコ機の一実施例を示す機構板および裏板の組付時の斜視図。
【図６】図５のＡ−Ａ線断面図。
【符号の説明】
１          機構板
２          景品球払出樋
３          球抜樋
４          景品球払出装置
５          鈴
６          景品球払出口
７          アウト球排出口
８          オーバーフロー樋
９          鈴
１１        入賞球排出制御装置
１２        モータ
１３        カンチレバー
１４        リンク
１５        景品球タンク
１７        傾斜樋
１８        屈曲樋
２０        球抜弁
２２        枢軸
２３        締付具
２５        裏板
２６        枢支部
２７        第１開閉蓋
２８        窓孔
２９        枢支部
３０        第２開閉蓋
３１        係合片
３２        係合片
３３        リブ
３５        掛止片
３６        掛止片
３７        仕切壁
３８        掛止孔
【図１】
0003768409.tif 000002
【図２】
0003768409.tif 000003
【図３】
0003768409.tif 000004
【図４】
0003768409.tif 000005
【図５】
0003768409.tif 000006
【図６】
0003768409.tif 000007